(57)【要約】【課題】胴部に胴帯を装着することができる衣服用帯を提供することを目的とする。【解決手段】衣服に用いられ、人体の胴部１０ａに巻き付けられる胴帯１０を有する衣服用帯１であって、胴部１０ａに胴帯１０の一方の側端１１側と他方の側端１２側を重ね合わせるように装着する装着機構２０を有し、装着機構２０は、胴帯１０の所定の箇所において一定の間隔を置いて設けられる第１連結部材２１と第２連結部材２２を有し、第１連結部材２１と第２連結部材２２を連結することにより、胴部１０ａに胴帯１０を装着する。【選択図】図１
2020070503.tif 000002
【特許請求の範囲】
【請求項１】
衣服に用いられ、胴部に装着される胴帯を有する衣服用帯であって、
前記胴部に前記胴帯を装着する装着機構を有することを特徴とする衣服用帯。
【請求項２】
前記装着機構は、前記胴帯の所定の箇所に設けられる一対の連結部材を有し、前記一対の連結部材を相互に連結することにより、前記胴部に前記胴帯を装着することを特徴とする請求項１に記載の衣服用帯。
【請求項３】
前記一対の連結部材のうち一方は、前記胴帯の一方の側端側に設けられ、前記一対の連結部材のうち他方は、前記胴帯の他方の側端側に設けられることを特徴とする請求項２に記載の衣服用帯。
【請求項４】
前記一対の連結部材は、相互に係脱可能に係合し連結可能に形成されることを特徴とする請求項２または請求項３に記載の衣服用帯。
【請求項５】
前記一対の連結部材は、前記連結の位置を前記胴帯の長手方向に相互に変更可能とすることを特徴とする請求項２乃至請求項４のいずれか一項に記載の衣服用帯。
【請求項６】
前記一対の連結部材のうち一方は、前記胴帯の一方の側端側から前記胴帯の長手方向に延びる延長部材を介して設けられることを特徴とする請求項２乃至請求項５のいずれか一項に記載の衣服用帯。
【請求項７】
前記延長部材は、基端側を前記胴帯の一方の側端側に固着され、かつ、先端側を自由端とし、前記先端側に前記一対の連結部材のうち一方を設けることを特徴とする請求項６に記載の衣服用帯。
【請求項８】
前記延長部材は、前記基端から長手方向の中間部に至る所定の長さ範囲を第１延長部とし、前記長手方向の中間部から前記先端に至る所定の長さ範囲を第２延長部とし、前記長手方向の中間部を介して折り返し可能とすることを特徴とする請求項７に記載の衣服用帯。
【請求項９】
前記第１延長部は、前記基端から前記長手方向の中間部に至る所定の長さ範囲を前記胴帯の一方の側端側に固着される固着部とし、前記第２延長部は、前記長手方向の中間部から前記先端に至る所定の長さ範囲を前記胴帯に固着されない非固着部とすることを特徴とする請求項８に記載の衣服用帯。
【請求項１０】
前記一対の連結部材は、前記胴帯の下部に設けられることを特徴とする請求項２乃至請求項９のいずれか一項に記載の衣服用帯。
【請求項１１】
前記装着機構は、前記胴帯の所定の箇所において一定の間隔を置いて設けられる一対の連結部材を更に有し、
前記更に有する一対の連結部材のうち一方は、前記胴帯の一方の側端側の高さ方向の中間部および／または上部に設けられるとともに、前記更に有する一対の連結部材のうち他方は、前記胴帯の他方の側端側の高さ方向の中間部および／または上部に設けられ、前記更に有する一対の連結部材は、前記連結の位置を前記胴帯の長手方向および／または高さ方向に相互に変更可能とすることを特徴とする請求項２乃至請求項１０のいずれか一項に記載の衣服用帯。
【請求項１２】
前記更に有する一対の連結部材は、相互に係脱可能に係合し連結可能に形成されることを特徴とする請求項１１に記載の衣服用帯。
【請求項１３】
前記一対の連結部材を連結することにより、前記胴帯の一方の側端側と前記胴帯の他方の側端側を前記延長部材を介して連結するとともに、
前記第１延長部および前記胴帯の一方の側端側と前記第２延長部との間に前記胴帯の他方の側端側を挟み込み、前記更に有する一対の連結部材を連結することにより、前記胴帯の一方の側端側と前記胴帯の他方の側端側を重ね合わせるように前記胴部に前記胴帯を装着することを特徴とする請求項１１または請求項１２に記載の衣服用帯。
【請求項１４】
前記胴帯の一方の側端側と他方の側端側を重ね合わせた重ね合わせ部分を隠す被覆部材を有することを特徴とする請求項１乃至請求項１３のいずれか一項に記載の衣服用帯。
【請求項１５】
前記被覆部材は、前記胴帯上を移動可能な移動部を有することを特徴とする請求項１４に記載の衣服用帯。
【請求項１６】
前記被覆部材は、ポケットを有することを特徴とする請求項１４または請求項１５に記載の衣服用帯。
【請求項１７】
前記胴帯は、表面側から裏面側にかけて複数枚の布を重ねて形成されるとともに、ポケットを有し、
前記ポケットは、前記重ねられた複数枚の布間に形成されることを特徴とする請求項１乃至請求項１６のいずれか一項に記載の衣服用帯。
【請求項１８】
前記胴帯の側端の上部側の隅部と該上部側の隅部に重ね合わせられる前記胴帯の上部側の縁部との固定および前記胴帯の下部側の隅部と該下部側の隅部に重ね合わせられる前記胴帯の下部側の縁部との固定のうち少なくともいずれか一方を行う固定部材を有することを特徴とする請求項１乃至請求項１７のいずれか一項に記載の衣服用帯。
【請求項１９】
前記連結部材は、面ファスナーとすることを特徴とする請求項１乃至請求項１８のいずれか一項に記載の衣服用帯。
【発明の詳細な説明】
【技術分野】
【０００１】
本発明は、衣服用帯に関し、特に、胴部に装着される胴帯を有する衣服用帯に関する。
【背景技術】
【０００２】
従来から様々な形態の衣服用帯が提案されており、近年は各種の模様や装飾が施された帯が好まれるようになっている。例えば特許文献１または特許文献２においては、絵柄が施された帯が提案されており、特許文献３においては、帯に取り付ける装飾が提案されている。
【先行技術文献】
【特許文献】
【０００３】
【特許文献１】特開平１１−１３１３１２号公報
【特許文献２】特開２０１４−１５６６８４号公報
【特許文献３】特開２００６−１３２０６１号公報
【発明の概要】
【発明が解決しようとする課題】
【０００４】
ところで、近年は、和服より詳しくは浴衣や着物の需要が非常に多くなっており、特に若者や外国人の間でその需要が広がる等嗜好も多様化している。しかしながら、上述した衣服用帯を含め着物等の着付けは一般に難しく近年は容易に胴部に胴帯を装着することができる衣服用帯の開発が求められていた。
【０００５】
本発明はこのような事情に鑑みてなされたものであり、胴部に胴帯を装着することができる衣服用帯を提供することを目的とする。
【課題を解決するための手段】
【０００６】
上記目的を達成するために、本発明に係る衣服用帯は、衣服に用いられ、胴部に装着される胴帯を有する衣服用帯であって、前記胴部に前記胴帯を装着する装着機構を有することを特徴とする。
【０００７】
本発明によれば、前記装着機構を有することとしたので、前記胴部に前記胴帯を装着することができる。
【０００８】
前記装着機構は、前記胴帯の所定の箇所に設けられる一対の連結部材を有し、前記一対の連結部材を相互に連結することにより、前記胴部に前記胴帯を装着することができる。
【０００９】
前記一対の連結部材のうち一方は、前記胴帯の一方の側端側に設けられ、前記一対の連結部材のうち他方は、前記胴帯の他方の側端側に設けられることとすることができる。
【００１０】
前記一対の連結部材は、相互に係脱自在に係合し連結可能に形成されることとすることができる。
【００１１】
前記一対の連結部材は、前記連結の位置を前記胴帯の長手方向に相互に変更可能とすることとすれば、前記連結の位置を変更することにより前記胴帯の前記胴部に対する締め付け力を変更することができる。
【００１２】
前記一対の連結部材のうち一方は、前記胴帯の一方の側端側から前記胴帯の長手方向に延びる延長部材を介して設けられることとすれば、延長部材を介して胴帯の一方の側端側と他方の側端側を連結することができる。
【００１３】
前記延長部材は、基端側を前記胴帯の一方の側端側に固着され、かつ、先端側を自由端とし、前記先端側に前記一対の連結部材のうち一方を設けることとすることができる。
【００１４】
前記延長部材は、前記基端から長手方向の中間部に至る所定の長さ範囲を第１延長部とし、前記長手方向の中間部から前記先端に至る所定の長さ範囲を第２延長部とし、前記長手方向の中間部を介して前記基端側の第１延長部と前記先端側の第２延長部を相互に折り返し可能とすることとすれば、長手方向の中間部を介して第１延長部と第２延長部を相互に折り返すことができる。
【００１５】
前記第１延長部は、前記基端から前記長手方向の中間部に至る所定の長さ範囲を前記胴帯の一方の側端側に固着される固着部とし、前記第２延長部は、前記長手方向の中間部から前記先端に至る所定の長さ範囲を前記胴帯に固着されない非固着部とすることができる。
【００１６】
前記一対の連結部材は、前記胴帯の下部に設けられることとすれば、胴帯の下部側が窄まるように装着することができる。
【００１７】
前記装着機構は、前記胴帯の所定の箇所において一定の間隔を置いて設けられる一対の連結部材を更に有し、前記更に有する一対の連結部材のうち一方は、前記胴帯の一方の側端側の高さ方向の中間部および／または上部に設けられるとともに、前記更に有する一対の連結部材のうち他方は、前記胴帯の他方の側端側の高さ方向の中間部および／または上部に設けられ、前記更に有する一対の連結部材は、前記連結の位置を前記胴帯の長手方向および／または高さ方向に相互に変更可能とすることとすれば、連結の位置を変更することにより胴帯の胴部に対する締め付け力および／または高さ方向の連結位置を変更することができる。
【００１８】
前記更に有する一対の連結部材は、相互に係脱可能に係合し連結可能に形成されることができる。
【００１９】
前記一対の連結部材を連結することにより、前記胴帯の一方の側端側と前記胴帯の他方の側端側を前記延長部材を介して連結するとともに、前記第１延長部および前記胴帯の一方の側端側と前記第２延長部との間に前記胴帯の他方の側端側を挟み込み、前記更に有する一対の連結部材を連結することにより、前記胴帯の一方の側端側と前記胴帯の他方の側端側を重ね合わせるように前記胴部に前記胴帯を装着することができる。
【００２０】
前記胴帯の一方の側端側と他方の側端側を重ね合わせた重ね合わせ部分を隠す被覆部材を有することとすれば、前記重ね合わせ部分を隠すことができる。
【００２１】
前記被覆部材は、前記胴帯上を移動可能な移動部を有することとすれば、胴帯上の重ね合わせ部分の位置に合わせて被覆部材の位置を変更することができる。
【００２２】
前記被覆部材は、ポケットを有することとすれば、各種の物品を収納することができる。
【００２３】
前記胴帯は、表面側から裏面側にかけて複数枚の布を重ねて形成されるとともに、ポケットを有し、前記ポケットは、前記重ねられた複数枚の布間に形成されることができる。
【００２４】
前記胴帯の側端の上部側の隅部と該上部側の隅部に重ね合わせられる前記胴帯の上部側の縁部との固定および前記胴帯の側端の下部側の隅部と該下部側の隅部に重ね合わせられる前記胴帯の下部側の縁部との固定のうち少なくともいずれか一方を行う固定部材を有することとすれば、胴帯の重ね合わせられる部分を固定することができる。
【００２５】
前記連結部材は、面ファスナーとすることができる。
【発明の効果】
【００２６】
本発明によれば、胴部に胴帯を装着することができる。
【図面の簡単な説明】
【００２７】
【図１】本発明の実施形態に係る衣服用帯の表面側の全体構成を示す平面図である。
【図２】同衣服用帯における胴帯の表面側の構成を示す平面図である。
【図３】同胴帯の裏面側の構成を示す平面図である。
【図４】同胴帯の裏面側の構成を示す別の平面図である。
【図５】同胴帯の被覆部材の形成方法を説明するための側面図であり、（ａ）は、被覆部材の形成前の状態を示す側面図、（ｂ）は、被覆部材の形成後の状態を示す側面図である。
【図６】同胴帯の側面側ポケットの構成を示す側面図である。
【図７】同衣服用帯のお太鼓の構成を示す図であり、（ａ）は平面図、（ｂ）は正面図、（ｃ）は側面図である。
【図８】同衣服用帯の装着方法を説明するための正面図である。
【図９】同衣服用帯の装着方法を説明するための図８に続く斜視図である。
【図１０】同衣服用帯の装着方法を説明するための図９に続く斜視図である。
【図１１】同衣服用帯の装着方法を説明するための図１０に続く斜視図である。
【図１２】同衣服用帯の装着方法を説明するための図１１に続く斜視図である。
【図１３】同衣服用帯の装着方法を説明するための別の斜視図である。
【図１４】同衣服用帯における胴帯の変形例の構成を示す平面図である。
【図１５】同衣服用帯における胴帯の変形例の構成を示す図１４に関連する平面図である。
【図１６】同衣服用帯における胴帯の他の変形例の構成を示す平面図である。
【図１７】同衣服用帯における胴帯の更に他の変形例の構成を示す平面図である。
【図１８】同衣服用帯における胴帯の更に他の変形例の構成を示す斜視図である。
【図１９】同衣服用帯の更に他の変形例の構成を示す側面図である。
【図２０】同衣服用帯における胴帯の更に他の変形例の構成を示す別の側面図である。
【発明を実施するための形態】
【００２８】
以下、本発明の実施形態について図面を参照して詳細に説明する。なお、以下の説明においては、衣服用帯を人が装着したときを基準として高さ方向（上下方向）、水平方向（側方）、前後方向を定義するものとする。
【００２９】
図１は、本発明の実施形態に係る衣服用帯の表面側の全体構成を示す平面図、図２は、同衣服用帯における胴帯の表面側の構成を示す平面図、図３は、同胴帯の裏面側の構成を示す平面図、図４は、同胴帯の裏面側の構成を示す別の平面図、図５は、同胴帯の被覆部材の形成方法を説明するための図、図６は、同胴帯の側面側ポケットの構成を示す側面図、図７は、同衣服用帯のお太鼓の構成を示す図である。
【００３０】
これらの図を参照して本発明の衣服用帯の概要を説明すると、衣服用帯１は、主に着物や浴衣に代表される和服等の衣服に用いられ、衣服を介して人体の胴部Ａに装着される胴帯１０と、胴帯１０における人体の背部相当位置に装着され、胴帯１０と別体として形成されるお太鼓１００と、を有している（衣服用帯１は、和服等に限らず洋服に用いることとしてもよい）。
【００３１】
胴帯１０は、帯状で長尺な矩形状より詳しくは長方形状をなしており、装着機構２０および被覆部材４０を有している。この装着機構２０により、胴部Ａに胴帯１０の一方の側端１１側と他方の側端１２側を重ね合わせるように装着することができ、装着機構２０は、一対の連結部材２０Ａを有し、より詳しくは、第１連結部材２１および第２連結部材２２を有している。また、装着機構２０は、更に一対の連結部材２０Ｂを有し、より詳しくは、第３連結部材２３および第４連結部材２４を有している。
【００３２】
第１連結部材２１は、一対の連結部材２０Ａのうち一方の連結部材であり、胴帯１０の裏面側１０ｂの一方の側端１１側であって胴帯１０の下部の端部より詳しくは下部の縁部１０´´に設けられている。すなわち、第１連結部材２１は、胴帯１０に延長部材３０を介して設けられており、延長部材３０は、長尺に形成されている。延長部材３０は、胴帯１０の裏面１０ｂ側の一方の側端１１側であって胴帯１０の下部の縁部１０´´から締め付けの方向となる胴帯１０の長手方向に沿って細長い帯状に延びている。延長部材３０は、基端３０ａ側を胴帯１０の裏面１０ｂの一方の側端１１側であって胴帯１０の下部の縁部１０´´に固着され、かつ、先端３０ｂ側を自由端とし、先端３０ｂ側に第１連結部材２１を設けている。
【００３３】
延長部材３０は、長手方向の中間部に屈曲可能な屈曲部３０ｃを有しており、第１延長部３１および第２延長部３２を有している。延長部材３０は、長手方向の中間部より詳しくは屈曲部３０ｃを介して基端３０ａ側の第１延長部３１と先端３０ｂ側の第２延長部３２を相互に折り返し可能となっている。
【００３４】
第１延長部３１は、基端３０ａから長手方向の中間部より詳しくは屈曲部３０ｃに至る所定の長さ範囲とし、かかる範囲の全体を胴帯１０の裏面１０ｂ側の一方の側端１１側であって胴帯１０の下部の縁部１０´´に固着される固着部としている（より詳しくは、第１延長部３１は、胴帯１０の一方の側端１１から胴帯１０の長手方向に沿って所定の長さＬ離間する胴帯１０の裏面１０ｂ側の長手方向の中間部の所定位置１０ｂ´までの領域に固着される固着部となっている）。
【００３５】
第２延長部３２は、長手方向の中間部より詳しくは屈曲部３０ｃから先端３０ｂに至る所定の長さ範囲とし、かかる範囲を胴帯１０に固着されない非固着部としている。延長部材３０の先端３０ｂ側すなわち第２延長部３２の先端３０ｂ側に第１連結部材２１が設けられている（より詳しくは、第２延長部３２は、該第２延長部３２の基端３２´（基端３２´は、屈曲部３０ｃおよび所定位置１０ｂ´と同様の位置となる）を固着され、第２延長部３２の基端３２´から先端３０ｂにかけて胴帯１０に固着されない非固着部となっている）。後述するように、第１連結部材２１は、第１延長部３１と第２延長部３２の折り返しを解除した状態で第２連結部材２２と連結される。
【００３６】
なお、延長部材３０の基端３０ａ側より詳しくは第１延長部３１の基端３０ａ側には、補助連結部材２５が設けられている。補助連結部材２５は、先端３０ｂ側の第２延長部３２に設けられる第１連結部材２１と係脱可能に係合し連結可能に形成されている。
【００３７】
すなわち、延長部材３０は、第１連結部材２１と補助連結部材２５を同じ面側に設けることとしており、第１延長部３１と第２延長部３２を長手方向の中間部より詳しくは屈曲部３０ｃを介して折り返すことにより、図４に示すように、第１連結部材２１と補助連結部材２５を連結することができる。これにより、胴帯１０を胴部Ａに装着しない不使用時には、延長部材３０の基端３０ａ側と先端３０ｂ側を折り畳むように連結することができる。
【００３８】
第２連結部材２２は、一対の連結部材２０Ａのうち他方の連結部材であり、胴帯１０の裏面１０ｂ側の他方の側端１２側であって胴帯１０の下部の縁部１０´´に設けられており、第１連結部材２１および第２連結部材２２は、相互に係脱可能に係合し連結可能に形成されている。
【００３９】
すなわち、第１連結部材２１および第２連結部材２２は、胴帯１０の所定の箇所において一定の間隔を置いて設けられており、第１連結部材２１と第２連結部材２２を連結することにより、胴部Ａに胴帯１０を装着することができる。
【００４０】
つまり、第１連結部材２１および第２連結部材２２は、胴帯１０の締め付けの方向となる胴帯１０の長手方向に沿って所定の長さを有するように設けられ、連結の位置を胴帯１０の長手方向に沿って相互に変更可能としている。これにより、第１連結部材２１および第２連結部材２２の連結の位置を変更することにより胴帯１０の胴部Ａに対する締め付け力を変更可能としている。
【００４１】
なお、第１連結部材２１および第２連結部材２２のいずれか一方より詳しくは第１連結部材２１は長手方向の長さが相対的に長く設定され、第１連結部材２１および第２連結部材２２のいずれか他方より詳しくは第２連結部材２１は長手方向の長さが相対的に短く設定されている。長手方向の長さが相対的に長く設定される連結部材すなわち第１連結部材２１は雌面ファスナーとし、長手方向の長さが相対的に短く設定される連結部材すなわち第２連結部材２２は雄面ファスナーとしている。雄面ファスナーを相対的に短く設定することで胴帯１０の面ファスナーによる損傷を少なくすることができる。
【００４２】
第３連結部材２３は、更に有する一対の連結部材２０Ｂのうち一方の連結部材であり、胴帯１０の裏面１０ｂ側の一方の側端１１側の高さ方向の中間部および上部に至り胴帯１０の長手方向および高さ方向に所定の長さを有するように設けられている。また、第４連結部材２４は、更に有する一対の連結部材２０Ｂのうち他方の連結部材であり、胴帯１０の他方の側端１２側の表面１０ａ側の上部に胴帯１０の長手方向に所定の長さを有するように設けられている。第３連結部材２３および第４連結部材２４は、相互に係脱可能に係合し連結可能に形成されている。
【００４３】
すなわち、第３連結部材２３および第４連結部材２４は、胴帯１０の所定の箇所において一定の間隔を置いて設けられ、連結の位置を胴帯１０の長手方向および高さ方向に沿って相互に変更可能としている。これにより、第３連結部材２３および第４連結部材２４の連結の位置を変更することにより胴帯１０の胴部Ａに対する締め付け力および高さ方向の連結位置を変更可能な構成となっている。
【００４４】
なお、第３連結部材２３および第４連結部材２４のいずれか一方より詳しくは第３連結部材２３は長手方向の長さが相対的に長く設定され、第３連結部材２３および第４連結部材２４のいずれか他方より詳しくは第４連結部材２４は長手方向の長さが相対的に短く設定されている。長手方向の長さが相対的に長く設定される連結部材すなわち第３連結部材２３は雌面ファスナーとし、長手方向の長さが相対的に短く設定される連結部材すなわち第４連結部材２４は雄面ファスナーとしている。雄面ファスナーを相対的に短く設定することで胴帯１０の面ファスナーによる損傷を少なくすることができる。
【００４５】
被覆部材４０は、胴帯１０の一方の側端１１側と他方の側端１２側を重ね合わせた重ね合わせ部分１０´（本実施形態にあっては、被覆部材４０が覆い隠す重ね合わせ部分１０´は、胴帯１０の一方の側端１１となる）を覆い隠す機能を有しており、胴帯１０上をスライド移動可能なスライド移動部５０を有している。また、被覆部材４０は、表面側および裏面側にポケット６０，７０を有している。
【００４６】
すなわち、被覆部材４０は、図５に示すように、環状に形成されている。より詳しくは、被覆部材４０は、布状部材４１より詳しくは上端４１ａおよび下端４１ｂが開口する筒状部材４１を高さ方向の中間部４１ｃを介して、胴帯１０の表面１０ａ側および裏面１０ｂ側を挟み込むように折り返して形成することができる。
つまり、筒状部材４１を折り返した後に、胴帯１０の上端から突出する部分であって、胴帯１０を挟み込む内側の対向する布片４１´，４１´の上端４１´´を縫い合わせる等して連結することにより、前記内側の布片４１´，４１´が胴帯１０上をスライド移動可能とするスライド移動部５０とすることができる。
【００４７】
また、被覆部材４０は、胴帯１０の表面１０ａ側および裏面１０ｂ側を挟み込むように筒状部材４１を折り返して形成されるため、胴帯１０の表面１０ａ側であってスライド移動部５０の表面側に設けられる袋状の表面側ポケット６０と、胴帯１０の裏面１０ｂ側であってスライド移動部５０の裏面側に設けられる袋状の裏面側ポケット７０と、を有するように形成される。
【００４８】
ここで、図６に示すように、胴帯１０は、表面１０ａ側から裏面１０ｂ側にかけて複数枚の布１０Ａ，１０Ｂより詳しくは２枚の布１０Ａ，１０Ｂを重ねて形成されるとともに、重ねられた複数枚の布１０Ａ，１０Ｂ間に側面側ポケット８０が形成される。
【００４９】
すなわち、側面側ポケット８０が形成される複数枚の布１０Ａ，１０Ｂ間において下部側の端部、上部側の端部、およびいずれか一方の側部側の端部が相互に連結されて閉塞されるとともに、いずれか他方の側部側の端部を非連結状態として開放し側面側ポケット８０における物品の出し入れ口８０ａとすることができる。この出し入れ口８０ａから出し入れされる物品は、例えば長尺な長方形状の帯板９０とすることができる。
【００５０】
なお、側面側ポケット８０は、一対の係合部材８１を有し、係合部材８１は、物品の出し入れ口８０ａとなる開放される他方の側部側の端部の内側であって、側面側ポケット８０が形成される複数枚の布間において、該布間を係脱可能に係合させる機能を有している。一対の係合部材８１は、雌雄の面ファスナーにより構成することができる。一対の係合部材８１を相互に係合して出し入れ口８０ａを閉塞することにより、出し入れ口８０ａから挿入される物品が抜け出ることを防止することができる。
【００５１】
お太鼓１００は、胴帯１０と別体として分離して形成されており、図７に示すように、スライド移動部１０１とお太鼓形状部１０２を有している。
【００５２】
スライド移動部１０１は、お太鼓形状部１０２の人体に向く面側の上部から下方に垂れ下がるように設けられる２本の長尺な布片１０１Ａ，１０１Ｂを有し、これら布片１０１Ａ，１０１Ｂの下端には第１係合部材１０１Ａ´，１０１Ｂ´が設けられている。
【００５３】
お太鼓形状部１０２は、お太鼓の形状をなす扁平な環状となっている。お太鼓形状部１０２の人体に向く面側の下部側においては、布片１０１Ａ，１０１Ｂの下端と対応する位置に第２係合部材１０２Ａ，１０２Ｂが設けられている。布片１０１Ａ，１０１Ｂの上端から第１係合部材１０１Ａ´，１０１Ｂ´および第２係合部材１０２Ａ，１０２Ｂの上端までの高さは、胴帯１０の高さよりも若干高く設定されている。
【００５４】
したがって、胴帯１０をスライド移動部１０１の布片１０１Ａ，１０１Ｂとお太鼓形状部１０２との間に挟みつつ、第１係合部材１０１Ａ´，１０１Ｂ´と第２係合部材１０２Ａ，１０２Ｂを相互に係合し連結することにより、胴帯１０は、スライド移動部１０１とお太鼓形状部１０２との間に形成されるスライド空間１０３に内包される。これにより、お太鼓１００は、胴帯１０上をスライド移動可能とすることができる。
【００５５】
ここで、以上のように構成された衣服用帯１の装着方法を説明すると次ようになる。なお、以下の説明においては、胴帯１０には物品の出し入れ口８０ａを介して帯板９０が挿入された状態とする。
【００５６】
すなわち、図８に示すように、お太鼓１００を胴帯１０に装着する。この胴帯１０へのお太鼓１００の装着は、胴帯１０をスライド移動部１０１の布片１０１Ａ，１０１Ｂとお太鼓形状部１０２との間に挟み込みつつ、第１係合部材１０１Ａ´，１０１Ｂ´と第２係合部材１０２Ａ，１０２Ｂを相互に係合して行う。
【００５７】
次に、図９に示すように、胴帯１０の一方の側端１１側に設けられた延長部材３０の屈曲を解除し、第１延長部３１の基端３０ａと第２延長部３２の先端３０ｂを離間させながら第２延長部３２を胴部Ａに巻き付ける。
【００５８】
続いて、図１０に示すように、第２延長部３２に設けられた第１連結部材２１と、胴帯１０の裏面１０ｂ側の他方の側端１２側に設けられた第２連結部材２２を係合し連結する。これにより、胴帯１０の他方の側端１０ｂ側を胴部Ａに巻き付けつつ、胴帯１０の一方の側端１１側と胴帯１０の他方の側端１２側を延長部材３０を介して連結する。
【００５９】
ここで、上述したように、第１連結部材２１および第２連結部材２２は、胴帯１０の締め付けの方向となる胴帯１０の長手方向に沿って所定の長さを有するように設けられ、連結の位置を胴帯１０の長手方向に沿って相互に変更可能とし、連結の位置を変更することにより胴帯１０の胴部Ａに対する締め付け力を変更可能とすることとしたので、胴帯１０の胴部Ａに対する締め付け力の変更を行うことができる。
【００６０】
また、第１連結部材２１、延長部材３０、および第２連結部材２２は、胴帯１０の裏面１０ｂ側の下部の縁部１０´´に設けられているので、第１連結部材２１と第２連結部材２２の締め付け力を調整することにより、胴帯１０の下部側が窄まるように胴帯１０を胴部Ａに装着することができる。
【００６１】
次いで、図１１に示すように、第１延長部３１を胴帯１０の一方の側端１１側とともに長手方向の中間部より詳しくは屈曲部３０ｃを介して第２延長部３２側に折り返すことにより、第１延長部３１および胴帯１０の一方の側端１１側と第２延長部３２との間に胴帯１０の他方の側端１２側を挟み込む。
【００６２】
更に第３連結部材２３と第４連結部材２４を連結することにより、胴帯１０の一方の側端１１側と胴帯１０の他方の側端１２側を重ね合わせるように胴部Ａに装着する。
【００６３】
次に、図１２に示すように、被覆部材４０を胴帯１０上をスライド移動させる。これにより、図１１の如く形成された胴帯１０の重ね合わせ部分１０´を被覆部材４０により覆い隠すことができる。被覆部材４０に設けられた表面側ポケット６０には、例えば、携帯電話機を収納し、裏面側ポケット７０には、保冷剤を収納することができる。
【００６４】
ここで、本実施形態においては、胴帯１０の一方の側端１１側と他方の側端１２側の下部側は、延長部材３０を介して間接的に連結されているものの、直接的には連結されていない。そして、胴帯１０の一方の側端１１側と他方の側端１２側の高さ方向の中間部および上部側は、胴帯１０の高さ方向に所定の長さを有する第３連結部材２３および第４連結部材２４により直接的に連結されている。このため、図１３に示すように、胴帯１０の一方の側端１１側と他方の側端１２側の下部の縁部１０´´を連結しながらも高さ方向の位置をずらして装着することが可能となっている。また、第３連結部材２３および第４連結部材２４は、胴帯１０の長手方向に所定の長さを有しているため、胴帯１０の下部側の窄んだ状態も確保しながら胴帯１０の胴部Ａに対する締め付け力も調整することができる。
【００６５】
以上説明したように、本実施形態の衣服用帯１によれば、装着機構２０を有することとしたので、胴部Ａに胴帯１０の一方の側端１１側と他方の側端１２側を重ね合わせるように装着することができる。
【００６６】
なお、本発明は上述した実施形態に限定されることなく種々の変形実施、応用実施が可能であることは勿論である。
【００６７】
すなわち、上述した実施形態にあっては、第４連結部材２４を胴帯１０の高さ方向の上部に設けることとしているが、図１４に示すように、高さ方向の中間部に設ける（図１４（ａ））こととしたり、高さ方向の中間部および上部のいずれにも設ける（図１４（ｂ））こととしても所要の技術的効果を奏する。
【００６８】
また、上述した実施形態にあっては、第３連結部材２３を高さ方向の中間部および上部のいずれにも設けることとしているが、図１５に示すように、高さ方向の上部にのみ設ける（図１５（ａ））こととしたり、第４連結部材２４を高さ方向の中間部に設けることとして、第３連結部材２３を高さ方向の中間部にのみ設ける（図１５（ｂ））こととしても所要の技術的効果を奏する。
【００６９】
すなわち、更に有する一対の連結部材２０Ｂのうち一方の連結部材は、胴帯１０の一方の側端１１側の高さ方向の中間部および／または上部に設けられるとともに、更に有する一対の連結部材２０Ｂのうち他方の連結部材は、胴帯１０の他方の側端１２側の高さ方向の中間部および／または上部に設けられ、更に有する一対の連結部材２０Ｂは、連結の位置を胴帯１０の長手方向および／または高さ方向に沿って相互に変更可能とすることとすればよい。
【００７０】
また、上述した実施形態にあっては、胴帯１０は、長尺な矩形状より詳しくは長方形状をなすこととしているが、図１６に示すように、いずれか一方の側端より詳しくは他方の側端１２側の上端に例えば三角形状に欠損した欠損部１３を形成し側端１２側を台形形状とすることとしてもよい。このように構成することで、胴帯１０を重ね合わせたときに一方の側端１１側と他方の側端１２側の高さ位置に若干ずれが生じて他方の側端１２側の上端が一方の側端１１側の上端からはみ出る場合にあっても、図１６に示すように、他方の側端１２側の上端に欠損部１３を形成することで、下側となる他方の側端１２側の上端が一方の側端１１側の上端からはみ出ることを防止することができる。
【００７１】
また更に、例えば、図１７乃至図１９に示すように、胴帯１０に固定部材９４，９５を有することとして、胴帯１０の一方の側端１１側の上部側の隅部と該上部側の隅部に重ね合わせられる胴帯１０の上部側の縁部との固定および胴帯１０の下部側の隅部と該下部側の隅部に重ね合わせられる胴帯１０の下部側の縁部１０´´との固定のうち少なくともいずれか一方を行うこととしてもよい。このように固定部材９４，９５を有することとすれば、胴帯１０の重ね合わせられる部分を固定することができる。
【００７２】
この固定部材９４，９５は、胴帯１０の上部側の隅部と該上部側の隅部に重ね合わせられる胴帯１０の上部側の縁部との固定および胴帯１０の下部側の隅部と該下部側の隅部に重ね合わせられる胴帯１０の下部側の縁部１０´´との固定のうち少なくともいずれか一方を狭持して固定する狭持部材とすることができ、狭持部材は、クリップ状の部材とすることができる。
【００７３】
すなわち、固定部材９４，９５は、相対的に長さの長い長片で板状の基部９４ａ，９５ａと相対的に長さの短い短片で板状のクリップ部９４ｂ，９５ｂから構成されており、クリップ部９４ｂ，９５ｂは、基部９４ａ，９５ａの上端または下端から下方または上方に屈曲するように形成される。基部９４ａ，９５ａは、胴帯１０の一方の側端１１側における上部の隅部および下部の隅部に固定して設けられており、基部９４ａ，９５ａとクリップ部９４ｂ、９５ｂとの間には所定の間隔が設けられている。この間隔内に胴帯１０の上部の縁部および下部の縁部１０´´が差し込まれて狭持される。
【００７４】
なお、胴帯１０に、胴帯１０の一方の側端１１側を裏面１０ｂ側に所定に折り込みかつ端部を縫い合わせる等して連結した折り込み部１１ａを形成し、固定部材９４，９５により折り込み部１１ａと胴帯１０の一方の側端１１側を挟み込むように固定することとしてもよい。このようにすることで固定部材９４，９５を折り込み部１１ａにより隠しながら固定することができる。
【００７５】
また、図２０に示すように、クリップ部９４ｂ，９５ｂの上端を基部９４ａ，９５ａの上端と軸体９４ａ´，９５ａ´を介して回動可能に形成し、クリップ部９４ｂ，９５ｂを開放した状態から閉塞した状態として、胴帯１０の上部側の隅部と該上部側の隅部に重ね合わせられる胴帯１０の上部側の縁部との固定および胴帯１０の下部側の隅部と該下部側の隅部に重ね合わせられる胴帯１０の下部側の縁部１０´´との固定のうち少なくともいずれか一方を狭持して固定することとしてもよい。
【符号の説明】
【００７６】
Ａ：胴部
Ｌ：長さ
１：衣服用帯
１０：胴帯
１０´：重ね合わせ部分
１０´´：下部の縁部
１０Ａ：複数枚の布
１０Ｂ：複数枚の布
１０ａ：胴帯１０の表面
１０ｂ：胴帯１０の裏面
１０ｂ´：所定位置
１１：胴帯１０の一方の側端
１１ａ：折り込み部
１２：他方の側端
１３：欠損部
２０：装着機構
２０Ａ：一対の連結部材
２０Ｂ：更に有する一対の連結部材
２１：第１連結部材
２２：第２連結部材
２３：第３連結部材
２４：第４連結部材
２５：補助連結部材
３０：延長部材
３０ａ：基端
３０ｂ：先端
３０ｃ：屈曲部
３１：第１延長部
３２：第２延長部
３２´：基端
４０：被覆部材
４１：布状部材（筒状部材）
４１ａ：上端
４１ｂ：下端
４１ｃ：高さ方向の中間部
４１´：布片
４１´´：布片の上端
５０：スライド移動部
６０：ポケット
７０：ポケット
８０：側面側ポケット
８０ａ：物品の出し入れ口
８１：係合部材
９０：帯板
９４：固定部材
９４ａ：基部
９４ａ´：軸体
９４ｂ：クリップ部
９５：固定部材
９５ａ：基部
９５ａ´：軸体
９５ｂ：クリップ部
１００：お太鼓
１０１：スライド移動部
１０１Ａ，１０１Ｂ：布片
１０１Ａ´，１０１Ｂ´：第１係合部材
１０２：お太鼓形状部
１０２Ａ，１０２Ｂ：第２係合部材
１０３：スライド空間
【図１】
2020070503.tif 000003
【図２】
2020070503.tif 000004
【図３】
2020070503.tif 000005
【図４】
2020070503.tif 000006
【図５】
2020070503.tif 000007
【図６】
2020070503.tif 000008
【図７】
2020070503.tif 000009
【図８】
2020070503.tif 000010
【図９】
2020070503.tif 000011
【図１０】
2020070503.tif 000012
【図１１】
2020070503.tif 000013
【図１２】
2020070503.tif 000014
【図１３】
2020070503.tif 000015
【図１４】
2020070503.tif 000016
【図１５】
2020070503.tif 000017
【図１６】
2020070503.tif 000018
【図１７】
2020070503.tif 000019
【図１８】
2020070503.tif 000020
【図１９】
2020070503.tif 000021
【図２０】
2020070503.tif 000022
【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
衣服に用いられ、胴部に装着される胴帯を有する衣服用帯であって、
前記胴部に前記胴帯を装着する装着機構を有し、
前記装着機構は、前記胴帯の所定の箇所に設けられる一対の連結部材を有し、前記一対の連結部材を相互に連結することにより、前記胴部に前記胴帯を装着し、
前記一対の連結部材のうち一方は、前記胴帯の一方の側端側に設けられ、前記一対の連結部材のうち他方は、前記胴帯の他方の側端側に設けられ、
前記一対の連結部材は、面ファスナーとして相互に係脱可能に係合し連結可能に形成され、前記連結の位置を前記胴帯の長手方向に相互に変更可能とし、前記胴帯の下部の縁部に設けられ、
更に、前記一対の連結部材のうち一方は、前記胴帯の一方の側端側から前記胴帯の長手方向に延びる延長部材を介して設けられ、
前記延長部材は、基端側を前記胴帯の一方の側端側に固着され、かつ、先端側を自由端とし、前記先端側に前記一対の連結部材のうち一方を設け、
前記一対の連結部材のいずれか一方は長手方向の長さが相対的に長く設定され、前記一対の連結部材のいずれか他方は長手方向の長さが相対的に短く設定され、
更に、前記装着機構は、前記胴帯の所定の箇所に設けられる一対の連結部材を更に有し、
前記更に有する一対の連結部材のうち一方は、前記胴帯の一方の側端側の高さ方向の中間部および／または上部に設けられるとともに、前記更に有する一対の連結部材のうち他方は、前記胴帯の他方の側端側の高さ方向の中間部および／または上部に設けられ、前記更に有する一対の連結部材は、前記連結の位置を前記胴帯の長手方向および／または高さ方向に相互に変更可能とし、
更に、前記更に有する一対の連結部材は、面ファスナーとして相互に係脱可能に係合し連結可能に形成され、
更にまた、前記更に有する一対の連結部材のいずれか一方は長手方向の長さが相対的に長く設定され、前記更に有する一対の連結部材のいずれか他方は長手方向の長さが相対的に短く設定され、
前記一対の連結部材を連結することにより、前記胴帯の一方の側端側と前記胴帯の他方の側端側を前記延長部材を介して連結するとともに、
前記胴帯の一方の側端側と前記延長部材との間に前記胴帯の他方の側端側を挟み込み、前記更に有する一対の連結部材を連結することにより、前記胴帯の一方の側端側と前記胴帯の他方の側端側を重ね合わせるように、かつ、前記胴帯の下部側が窄まるように、前記胴部に前記胴帯を装着する構成とすることを特徴とする衣服用帯。